(57)【要約】【課題】蓋本体（４）の被装着壁（１６）が上方に向かって半径方向内方に傾斜されることが充分に防止され、従って蓋本体の雄螺条（２２）に外蓋（６）の雌螺条（５８）が過剰に螺合されてしまうことが確実に防止される、新規の合成樹脂製容器蓋を提供すること。【解決手段】装着壁（５０）の内周面における雌螺条（５８）が形成されている部位よりも上方又は天面壁（４６）の内面に配設された突起（６０）の下面に規定される肩面（６２）、及び／又は蓋本体（４）の被装着壁（１６）の自由端面を半径方向外方に向かって上方に傾斜させる。【選択図】図１
2018154341.tif 000002
【特許請求の範囲】
【請求項１】
容器の口頸部に装着される蓋本体と該蓋本体に装着される外蓋とから構成され、
該蓋本体は上端が自由端面である円筒形状の被装着壁を含み、該被装着壁の外周面には雄螺条が形成されており、
該外蓋は天面壁と該天面壁から垂下する円筒形状の装着壁とを含み、該装着壁の内周面には雌螺条が形成されており、該装着壁の内周面における該雌螺条が形成されている部位よりも上方又は該天面壁の内面には周方向に間隔をおいて配設された複数個の突起或いは周方向に連続して延在する突起が形成されていて、該突起の下面によって規定される周方向に間隔をおいて或いは周方向に連続して延在する肩面が規定されており、
該蓋本体の該被装着壁に形成されている該雄螺条に該外蓋の該装着壁に形成されている該雌螺条を螺合し、該外蓋の該肩面を該被装着壁の該自由端面に当接することによって該蓋本体に該外蓋が装着される合成樹脂製容器蓋において、
該外蓋の該肩面及び／又は該蓋本体の該被装着壁の該自由端面は、半径方向外方に向かって上方に傾斜している、
ことを特徴とする合成樹脂製容器蓋。
【請求項２】
該外蓋の該肩面及び／又は該被装着壁の該自由端面は水平に対して５乃至３０度の傾斜角度で傾斜している、請求項１記載の合成樹脂製容器蓋。
【請求項３】
該外蓋の該装着壁の該内周面には、該雌螺条よりも上方で且つ該肩面よりも下方に位置し、周方向に間隔をおいて配設された複数個の突条或いは周方向に連続して延びる突条が形成されており、該突条の内径は該突起の内径よりも大きく、該蓋本体に該外蓋が装着されると、該突条の内面は該蓋本体の該被装着壁の外周面上端部の、該雄螺条が存在しない部位の外周面に対して間隔をおいて対向する、請求項１又は２記載の合成樹脂製容器蓋。
【請求項４】
該蓋本体の該被装着壁の外周面上端部の、該雄螺条が存在しない部位の外周面には周方向に間隔をおいて配設された複数個の突条或いは周方向に連続して延びる突条が形成されており、該突条の外径は該突起の内径よりも大きく、該蓋本体に該外蓋が装着されると、該突条の外面は該外蓋の該装着壁の内周面における該肩面よりも下方で且つ該雌螺条よりも上方の部位に対して間隔をおいて対向する、請求項１又は２記載の合成樹脂製容器蓋。
【発明の詳細な説明】
【技術分野】
【０００１】
本発明は、容器の口頸部に装着される蓋本体とこの蓋本体に装着される外蓋とから構成された合成樹脂製容器蓋に関する。
【背景技術】
【０００２】
液体調味料の如き液体が収容されたガラス或いは合成樹脂製容器のための容器蓋として、下記特許文献１には、容器の口頸部に装着される蓋本体とこの蓋本体に装着される外蓋とから構成された合成樹脂製容器蓋が開示されている。蓋本体は上端が自由端面である円筒形状の被装着壁を含み、この被装着壁の外周面には雄螺条が形成されている。外蓋は天面壁とこの天面壁から垂下する円筒形状の装着壁とを含み、装着壁の内周面には雌螺条が形成されている。外蓋の天面壁の内面には、周方向に連続して延在する円筒形状の突起が形成されており、突起の下面によって周方向に連続して延在する肩面が規定されている。蓋本体の被装着壁に形成されている雄螺条に外蓋の装着壁に形成されている雌螺条を螺合することによって蓋本体に外蓋が装着される。蓋本体の雄螺条と外蓋の雌螺条との螺合度合は外蓋の肩面が蓋本体の被装着壁の自由端面に当接することによって規制される。
【先行技術文献】
【特許文献】
【０００３】
【特許文献１】特許第４００５２０８号公報
【発明の概要】
【発明が解決しようとする課題】
【０００４】
而して、本発明者等の経験によれば、上述したとおりの従来の容器蓋には、蓋本体の被装着壁の自由端面に外蓋の肩面が当接して被装着壁の押圧力が加えられると、被装着壁が上方に向かって半径方向内方に傾斜されてしまって、蓋本体の雄螺条に外蓋の雌螺条が過剰に螺合され、その結果、ネジを乗り越えて回転を生じる所謂オーバーターンが発生してしまう虞があることが判明した。
【０００５】
本発明は上記事実に鑑みてなされたものであり、その主たる技術的課題は、蓋本体の被装着壁が上方に向かって半径方向内方に傾斜されることが充分に防止され、従って蓋本体の雄螺条に外蓋の雌螺条が過剰に螺合されてしまうことが確実に防止される、新規且つ改良された合成樹脂製容器蓋を提供することである。
【課題を解決するための手段】
【０００６】
本発明者等は鋭意研究の結果、外蓋の肩面（かかる肩面は、天面壁の内面に形成された突起に代えて外蓋の装着壁の内周面における雌螺条が形成されている部位よりも上方に形成された突起の下面によって規定することができ、そしてまた周方向に連続した突起ではなく周方向に間隔をおいて形成された突起の下面によって規定することもできる）及び／又は被装着壁の自由端面を半径方向外方に向かって上方に傾斜することによって、上記主たる技術的課題を達成することができることを見出した。
【０００７】
即ち、本発明によれば、上記主たる技術的課題を達成する合成樹脂製容器蓋として、容器の口頸部に装着される蓋本体と該蓋本体に装着される外蓋とから構成され、
該蓋本体は上端が自由端面である円筒形状の被装着壁を含み、該被装着壁の外周面には雄螺条が形成されており、
該外蓋は天面壁と該天面壁から垂下する円筒形状の装着壁とを含み、該装着壁の内周面には雌螺条が形成されており、該装着壁の内周面における該雌螺条が形成されている部位よりも上方又は該天面壁の内面には周方向に間隔をおいて配設された複数個の突起或いは周方向に連続して延在する突起が形成されていて、該突起の下面によって規定される周方向に間隔をおいて或いは周方向に連続して延在する肩面が規定されており、
該蓋本体の該被装着壁に形成されている該雄螺条に該外蓋の該装着壁に形成されている該雌螺条を螺合し、該外蓋の該肩面を該被装着壁の該自由端面に当接することによって該蓋本体に該外蓋が装着される合成樹脂製容器蓋において、
該外蓋の該肩面及び／又は該蓋本体の該被装着壁の該自由端面は、半径方向外方に向かって上方に傾斜している、
ことを特徴とする合成樹脂製容器蓋が提供される。
【０００８】
好ましくは、該外蓋の該肩面及び／又は該被装着壁の該自由端面は水平に対して５乃至３０度の傾斜角度で傾斜している。該外蓋の該装着壁の該内周面には、該雌螺条よりも上方で且つ該肩面よりも下方に位置し、周方向に間隔をおいて配設された複数個の突条或いは周方向に連続して延びる突条が形成されており、該突条の内径は該突起の内径よりも大きく、該蓋本体に該外蓋が装着されると、該突条の内面は該蓋本体の該被装着壁の外周面上端部の、該雄螺条が存在しない部位の外周面に対して間隔をおいて対向する形態が好ましい。該蓋本体の該被装着壁の外周面上端部の、該雄螺条が存在しない部位の外周面には周方向に間隔をおいて配設された複数個の突条或いは周方向に連続して延びる突条が形成されており、該突条の外径は該突起の内径よりも大きく、該蓋本体に該外蓋が装着されると、該突条の外面は該外蓋の該装着壁の内周面における該肩面よりも下方で且つ該雌螺条よりも上方の部位に対して間隔をおいて対向する形態も好ましい。
【発明の効果】
【０００９】
本発明の合成樹脂製容器蓋によれば、蓋本体の被装着壁の自由端面に外蓋の肩面が当接して被装着壁に押圧力が加えられると、外蓋の肩面及び／又は蓋本体の被装着壁の自由端面は半径方向外方に向かって上方に傾斜している故に、被装着壁には上方に向かって半径方向内側ではなく半径方向外側に向けて力が加えられる。容器蓋における種々の構成上の制約等によって、被装着壁の上方に向かって半径方向内方への傾動を規制することは必ずしも容易ではないが、被装着壁の上方に向かって半径方向外方への傾動は、外蓋の装着壁の内周面或いは蓋本体の被装着壁の外周面に突条を配設する等によって充分容易に規制することができる。かくして、本発明の合成樹脂製容器蓋によれば、外蓋の雌螺条が蓋本体の雄螺条に過剰に螺合されてしまうことが充分確実に防止される。
【図面の簡単な説明】
【００１０】
【図１】本発明に従って構成された合成樹脂製容器蓋の好適実施形態を容器の口頸部に装着した状態において、一部を断面で示す正面図。
【図２】図１に示す合成樹脂製容器蓋における外蓋の断面図。
【図３】図１に示す合成樹脂製容器蓋における外蓋の底面図。
【発明を実施するための形態】
【００１１】
以下、本発明に従って構成された容器蓋の好適実施形態を図示している添付図面を参照して、更に詳細に説明する。
【００１２】
本発明に従って構成された、全体を番号２で示す容器蓋は蓋本体４及び外蓋６から構成されている。蓋本体４はポリエチレンの如き比較的軟質合成樹脂から射出成型することができ、外蓋６は高密度ポリエチレン又はポリプロピレンの如き比較的硬質合成樹脂から射出成形することができる。
【００１３】
図１を参照して説明すると、蓋本体４は閉塞壁８と、この閉塞壁８の外周縁から垂下する円筒形状の側壁１０とを備えている。閉塞壁８には軸方向に見て比較的上方に位置する円形中央領域８ａと、軸方向に見て比較的下方に位置する円環形外周領域８ｂとが区画されている。閉塞壁８の中央領域８ａには円環形状の破断可能ライン１２によって規定された円形排出開口形成領域１４が設けられている。閉塞壁８の上面には、外周領域８ｂの半径方向略中間位置において上方に延出し且つ上端が自由端面である円筒形状の被装着壁１６と、外周領域８ｂの半径方向内側縁部において上方に延出する円筒形状の注出壁１８と、中央領域８ａ（更に詳しくは排出開口形成領域１４）の中央部において上方に延出する円筒形状の被係止壁２０とが形成されている。被装着壁１６の外周面には雄螺条２２が形成されている。注出壁１８の上端部は半径方向外方にカールせしめられている。注出壁１８の延出高さは被装着壁１６及び被係止壁２０の延出高さよりも高い。被係止壁２０の上端には実質上水平な円形壁部２４が設けられている。被係止壁２０の外周面の上端部には、周方向に連続して延在し且つ半径方向外方に突出する第一の被係止突条２６と、この第一の被係止突条２６よりも幾分下方において周方向に連続して延在し且つ半径方向外方に突出する補助突条２８とが配設されている。被係止壁２０の外周面における補助突条２８の下方には、第一の周方向被係止手段３０が配設されている。図示は省略するが、第一の周方向被係止手段３０は周方向に等角度間隔をおいて６個配設されている。第一の周方向被係止手段３０については後に言及する。被係止壁２０の内周面には軸線方向に延びるリブ３２が周方向に等角度間隔をおいて複数個形成されている。リブ３２は、蓋本体４に外蓋６を装着する際に所定の治具と協働して外蓋６に対する蓋本体４の回転を規制することを可能とする。
【００１４】
図１を参照して説明を続けると、閉塞壁８の下面における外周領域８ｂには、その半径方向略中間位置において下方に延出する環状シール壁３４と、半径方向内側端部に位置するラチェット凹部３６とが形成されている。ラチェット凹部３６はそれ自体周知の構成であり、蓋本体４に外蓋６を装着する際に所定の治具と協働して外蓋６に対する蓋本体４の回転を規制することを可能とする（特開２００８−２７３５３１号公報を参照されたい）。閉塞壁８の下面の中央領域８ａには、破断可能ライン１２の半径方向内側において閉塞壁８の下面に接続された基端から半径方向外方に向かって下方に傾斜して延出し、延出端は半径方向において破断可能ライン１２よりも外方に位置する環状シール片３８も形成されている。シール片３８は比較的肉薄であり弾性的に変形することが可能である。
【００１５】
側壁１０の外周面の上端部には、周方向に連続して延在し且つ半径方向外方に突出する第二の被係止突条４０が配設されている。側壁１０の外周面の下端部には、第二の周方向被係止手段４２が配設されている。図示は省略するが、第二の周方向被係止手段４２は周方向に等角度間隔をおいて複数配設されている。第二の周方向被係止手段４２については後に言及する。側壁１０の内周面の下端部には、半径方向内方に突出する係止突条４４が配設されている。
【００１６】
図１と共に図２及び図３を参照して説明を続けると、外蓋６は円形天面壁４６と、この天面壁４６の外周縁から垂下する円筒形状のスカート壁４８とを備えている。天面壁４６の内面には、その外周縁部において下方に垂下する円筒形状の装着壁５０、及び中央領域において下方に垂下する円筒形状の係止壁５２が形成されている。天面壁４６の内面には、半径方向に見て装着壁５０と係止壁５２との間において下方に垂下する筒状液留め片５４、及び半径方向に見て液留め片５４と係止壁５２との間において下方に垂下する筒状補助シール片５６も形成されている。装着壁５０の内周面の下端部には雌螺条５８が配設されている。装着壁５０の内周面における雌螺条５８が形成されている部位よりも上方には周方向に間隔をおいて配設された複数個（図示の実施形態においては６個）の突起６０が形成されていて、突起６０の下端には周方向に間隔をおいて肩面６２が規定されている。図示の実施形態においては、夫々の突起６０は天面壁４６の内面から鉛直下方に延び、その下端部を除く主部の横断面形状は矩形である。所望ならば、上記突起を装着壁５０の内周面における雌螺条５８が形成されている部位よりも上方に位置することに代えて、（装着壁５０の内周面から半径方向内方に幾分離隔して）天面壁４６の内面に形成するようにしてもよい。また、上記突起を周方向に間隔をおいて複数個配設することに代えて、周方向に連続して延在させるようにしてもよい。上記突起を周方向に連続して延在させるようにした場合には、上記肩面も周方向に連続して延在するように規定される。
【００１７】
本発明にかかる容器蓋２においては、外蓋６の肩面６２及び／又は蓋本体４の被装着壁１６の自由端面が、半径方向外方に向かって上方に傾斜していることが重要である。そして、外蓋６の肩面６２及び／又は被装着壁１６の自由端面は水平に対して５乃至３０度の傾斜角度で傾斜しているのが好ましい。図示の実施形態においては、外蓋６の肩面６２が半径方向外方に向かって上方に１０度傾斜している。装着壁５０の内周面であって且つ夫々の肩面６２の半径方向外側端部には、肩面６２から下方に延び縦断面形状が矩形である突条６４が形成されている（換言すると、装着壁５０の内周面には、雌螺条５８よりも上方で且つ肩面６２よりも下方の位置において、周方向に間隔をおいて配設された複数個の突条６４が形成されているおり、この突条６４の外径は突起６０の内径よりも大きい）。所望ならば、上記突条を周方向に間隔をおいて複数個配設することに代えて、周方向に連続して延びるようにしてもよい。また、上記突条を外蓋６の装着壁５０の内周面に形成することに代えて、蓋本体４の被装着壁１６の外周面上端部の、雄螺条２２が存在しない部位の外周面に周方向に間隔をおいて複数個或いは周方向に連続して延びるようにして形成してもよい。
【００１８】
図２及び図３を参照して説明を続けると、係止壁５２の内周面の下端部には、周方向に連続して延在し且つ半径方向内方に突出する第一の係止突条６６が配設されている。係止壁５２の内周面における第一の係止突条６６の下方には、第一の周方向係止手段６８が配設されている。図３を参照することによって明確に理解されるとおり、第一の周方向係止手段６８は周方向に等角度間隔をおいて６個配設されており、第一の周方向係止手段６８の各々は蓋本体４に配設された第一の周方向被係止手段３０の各々と協働する。即ち、蓋本体４に対して外蓋６が時計方向に回転する際には、外蓋６に設けられた第一の周方向係止手段６８は蓋本体４に設けられた第一の周方向被係止手段３０を弾性的に乗り越えるが、蓋本体４に対して外蓋６が反時計方向に回転する際には、外蓋６に設けられた第一の周方向係止手段６８は蓋本体４に設けられた第一の周方向被係止手段３０によって規制される。
【００１９】
スカート壁４８の下端部には周方向に延びる破断可能ライン７０が形成されており、スカート壁４８は破断可能ライン７０よりも上方の主部４８ａと破断可能ライン７０よりも下方のタンパーエビデント裾部４８ｂとに区画される。軸線方向に見て、破断可能ライン７０は、装着壁５０の下端と同一或いはこれよりも下方に位置するのが好ましい。スカート壁４８における主部４８ａの外周面には掛けられる指の滑りを防止するためのナール（凹凸形状）７２が形成されている。タンパーエビデント裾部４８ｂの内周面の上端部には、周方向に連続して延在し且つ半径方向内方に突出する第二の係止突条７４が配設されている。タンパーエビデント裾部４８ｂの内周面の下端部には、第二の周方向係止手段７６が配設されている。図３を参照することによって明確に理解されるとおり、第二の周方向係止手段７６は周方向に等角度間隔をおいて多数配設されており、第二の周方向係止手段７６の各々は蓋本体６に配設された第二の周方向被係止手段４２の各々と協働する。即ち、蓋本体４に対して外蓋６が時計方向に回転する際には、外蓋６に設けられた第二の周方向係止手段７６は蓋本体４に設けられた第二の周方向被係止手段４２を弾性的に乗り越えるが、蓋本体４に対して外蓋６が反時計方向に回転する際には、外蓋６に設けられた第二の周方向係止手段７６は蓋本体４に設けられた第二の周方向被係止手段４２によって規制される。
【００２０】
上述したとおりの蓋本体４と外蓋６とは、蓋本体４に外蓋６を被嵌した状態で蓋本体４に対して外蓋６を上方から見て時計方向に回転し、蓋本体４の雄螺条２２に外蓋６の雌螺条５８を螺合せしめることによって相互に組み合わされる。この際には、上述したとおり蓋本体４のリブ３２及びラチェット凹部３６に所定の治具を作用させて、外蓋６に対する蓋本体４の回転を規制した状態で行われる。蓋本体４に対して外蓋６を上記方向に回転せしめて外蓋６が蓋本体４に対して降下する際には、上述したとおり、外蓋６における第一の周方向係止手段６８は蓋本体４における第一の周方向被係止手段３０を弾性的に乗り越えると共に、外蓋６における第二の周方向係止手段７６も蓋本体４における第二の周方向被係止手段４２を弾性的に乗り越える。従って蓋本体４に対する外蓋６の回転が第一の周方向係止手段３０と第一の周方向被係止手段６８との共働及び第二の周方向係止手段７６と第二の周方向被係止手段４２との共働によって規制されることはない。蓋本体４の雄螺条２２に外蓋６の雌螺条５８を螺合せしめて蓋本体４と外蓋６とが組み合わされる際には更に、外蓋６の係止壁５２に配設されている第一の係止突条６６が蓋本体４の被係止壁２０に配設されている第一の係止突条２６を弾性的に乗り越えてこれの下方に係止され、さらに、外蓋６のスカート壁４８に配設されている第二の係止突条７４が蓋本体４の側壁１０に配設されている第二の係止突条４０を弾性的に乗り越えてこれの下方に係止される。外蓋６は、その装着壁５０に形成された肩面６２が蓋本体４の被装着壁１６の自由端面に当接するまで蓋本体４に対して回転せしめられ、かくして外蓋６は蓋本体４に装着される。外蓋６が蓋本体４に装着された状態にあっては、図１に示すとおり、外蓋６の補助シール片５６の外周面が蓋本体４の注出壁１８の上端部の内周面に密着する。また、突条６４の内面は蓋本体４の被装着壁１６の外周面上端部の雄螺条２２が存在しない部位の外周面に対して間隔をおいて対向する（突条を外蓋６の装着壁５０の内周面に形成することに代えて、蓋本体４の被装着壁１６の外周面上端部の、雄螺条２２が存在しない部位の外周面に形成した場合には、蓋本体４に外蓋６が装着されると、突条の外面は外蓋６の装着壁５０の内周面における肩面６２よりも下方で且つ雌螺条５８よりも上方の部位に対して間隔をおいて対向することとなる）。
【００２１】
本発明の合成樹脂製容器蓋によれば、蓋本体４の被装着壁１６の自由端面に外蓋６の肩面６２が当接して被装着壁１６に押圧力が加えられると、外蓋６の肩面６２及び／又は蓋本体４の被装着壁１６の自由端面は半径方向外方に向かって上方に傾斜している故に、被装着壁１６には上方に向かって半径方向内側ではなく半径方向外側に向けて力が加えられる。容器蓋における種々の構成上の制約等によって、被装着壁１６の上方に向かって半径方向内方への傾動を規制することは必ずしも容易ではないが、被装着壁１６の上方に向かって半径方向外方への傾動は、外蓋６の装着壁５０の内周面或いは蓋本体４の被装着壁１６の外周面に突条６４を配設する等によって充分容易に規制することができる。かくして、本発明の合成樹脂製容器蓋によれば、外蓋６の雌螺条５８が蓋本体４の雄螺条２２に過剰に螺合されてしまうことが充分確実に防止される。
【００２２】
上記のとおりに組み合わされた容器蓋２は、図１において二点鎖線で示す容器の口頸部７８に対して図１に示す状態まで強制的に下降せしめることによって容器の口頸部７８に装着される。かくすると、蓋本体４における側壁１０の内周面に形成されている係止突条４４が口頸部７８の外周面に形成されている係止あご部８０を弾性的に乗り越えてこれに係止せしめられ、蓋本体４が口頸部７８に固着される。また、蓋本体４のシール壁３４が口頸部７８内に進入せしめられ、これによって口頸部７８が密封される。
【００２３】
容器の内容物を消費する際には、外蓋６のスカート壁４８に指を掛けて、蓋本体４に装着されている外蓋６を上方から見て反時計方向に回転する。蓋本体４に対して外蓋６を上記方向に回転すると、外蓋６の装着壁５０に形成されている雌螺条５８と蓋本体４に形成されている雄螺条２２との螺合が解除されて蓋本体４に対して外蓋６が上昇せしめられる。このとき、外蓋６の係止壁５２に配設されている第一の係止突条６６が蓋本体４の被係止壁２０に配設されている第一の被係止突条２６に係止して蓋本体４に対する外蓋６の上昇が規制されると共に、外蓋６の係止壁５２に配設されている第一の周方向係止手段６８が蓋本体４の被係止壁２０に配設されている第一の周方向被係止手段３０に係止して蓋本体４に対する外蓋６の回転が規制される。従って、外蓋６を更に蓋本体４に対して上記方向に回転せしめると、第一の係止突条６６及び第一の被係止突条２６と、第一の周方向係止手段６８及び第一の周方向被係止手段３０とを介して閉塞壁８に設けられた破断可能ライン１２に応力が伝えられこれに集中し、かかる力によって破断可能ライン１２が破断され、排出開口が形成される。破断可能ライン１２が破断して蓋本体４の閉塞壁８に排出開口が形成された後、外蓋６を蓋本体４に対して上記方向に更に回転せしめると、排出開口形成領域１４が閉塞壁８のその他の部分から分離され外蓋６と共に排出開口形成領域１４が蓋本体４に対して上昇する。排出開口形成領域１４が閉塞壁８のその他の部分から除去される際にはシール片３８は弾性的に撓んで上記その他の部分より上方に移動する。
【００２４】
蓋本体４に対して外蓋６を上記方向に回転させ、蓋本体４に対して外蓋６が上昇せしめられる際には更に、外蓋６のスカート壁４８に配設されている第二の係止突条７４が蓋本体４の側壁１０に配設されている第二の被係止突条４０に係止して蓋本体４に対する外蓋６の上昇が規制されると共に、外蓋６のスカート壁４８に配設されている第二の周方向係止手段７６が蓋本体４の側壁１０に配設されている第二の周方向被係止手段４２に係止して蓋本体４に対する外蓋６の回転が規制される。従って、外蓋６を更に蓋本体４に対して上記方向に回転せしめると、第二の係止突条７４及び第二の被係止突条４０と、第二の周方向係止手段７６及び第二の周方向被係止手段４２とを介してスカート壁４８に設けられた破断可能ライン７０に応力が伝えられこれに集中し、かかる力によって破断可能ライン７０も破断される。しかる後においては、タンパーエビデント裾部４８ｂを残して主部４８ａは回転と共に上方に移動して蓋本体４から離脱され、これにより蓋本体４の閉塞壁８に生成された排出開口が露呈され、かかる排出開口を通して内容物を排出することができる。
【００２５】
内容物の必要量の排出が終了した後においては、外蓋６を蓋本体４に被嵌し、次いで上方から見て時計方向に回転して外蓋６の装着壁５０の内周面に形成されている雌螺条５８を蓋本体４の被装着壁１６の外周面に形成されている雄螺条２２に螺合せしめて蓋本体４に対して外蓋６を降下させる。外蓋６を蓋本体４に対して上記方向に回転して蓋本体４に対して外蓋６を降下させると、図示は省略するが、シール片３８が閉塞壁８の上記その他の部分の上面に当接して排出開口形成領域１４の下方への移動が阻止されると共に、閉塞壁８に生成された排出開口が閉じられる。かくして、蓋本体４から離脱された外蓋６が蓋本体４に再装着される。
【符号の説明】
【００２６】
２：容器蓋
４：蓋本体
６：外蓋
１６：被装着壁
２２：雄螺条
４６：天面壁
５０：装着壁
５８：雌螺条
６０：突起
６２：肩面
６４：突条
【図１】
2018154341.tif 000003
【図２】
2018154341.tif 000004
【図３】
2018154341.tif 000005